【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
データ入力デバイスに対して光散乱特性を有するトラッキング面で使用するためのデータ入力デバイスであって、
コヒーレント光ビームを、前記トラッキング面に当たる前記コヒーレント光ビームを散乱させる前記トラッキング面上に投射するコヒーレント光源と、
前記コヒーレント光源に関連し、検出された部分がスペックルパターンである前記散乱光の少なくとも一部を検出する検出器と、
前記検出されたスペックルパターンに応答し、コントローラによって決定された前記検出されたスペックルパターンのスペックルサイズ特性に応じて前記デバイスをトラッキングモード及び非トラッキングモードのうちの少なくとも１つで動作させるように構成されたコントローラと
を備えたことを特徴とするデータ入力デバイス。
【請求項２】
前記スペックルサイズ特性は、前記検出されたスペックルパターンのコントラスト特性であることを特徴とする請求項１に記載のデータ入力デバイス。
【請求項３】
前記コントローラは、少なくとも１方向で前記コントラスト特性を決定するように構成されていることを特徴とする請求項２に記載のデータ入力デバイス。
【請求項４】
前記コントローラは、少なくとも２方向で前記コントラスト特性を決定するように構成されていることを特徴とする請求項３に記載のデータ入力デバイス。
【請求項５】
前記コントローラは、少なくとも４方向で前記コントラスト特性を決定するように構成されていることを特徴とする請求項４に記載のデータ入力デバイス。
【請求項６】
前記コントローラは、前記検出されたスペックルパターンの前記コントラスト特性を閾値コントラスト特性と比較して、前記デバイスをトラッキングモード又は非トラッキングモードで動作させるように構成されていることを特徴とする請求項２に記載のデータ入力デバイス。
【請求項７】
前記閾値コントラスト特性は、前記デバイスが前記トラッキング面から離れた場合に、前記検出器によって測定されたベースラインノイズコントラスト特性を超えることを特徴とする請求項６に記載のデータ入力デバイス。
【請求項８】
前記コントローラは、前記検出されたスペックルパターンの前記コントラスト特性を、以前に検出されたスペックルパターンの以前のコントラスト特性と比較して、前記デバイスをトラッキングモード又は非トラッキングモードで動作させるように構成されていることを特徴とする請求項２に記載のデータ入力デバイス。
【請求項９】
前記コントローラは、前記検出されたスペックルパターン中の画像強度の変化の数を決定することによって、前記検出されたスペックルパターンのスペックルサイズ特性を決定するように構成されていることを特徴とする請求項１に記載のデータ入力デバイス。
【請求項１０】
前記コントローラは、高速フーリエ変換（ＦＦＴ）解析を実施して、前記スペックルサイズ特性を決定するように構成されていることを特徴とする請求項１に記載のデータ入力デバイス。
【請求項１１】
前記コントローラは、前記スペックルパターンの少なくとも１つのスペックル粒子の幅を測定し、前記少なくとも１つのスペックル粒子幅の変化を監視して、前記デバイスをトラッキングモード又は非トラッキングモードで動作させるように構成されていることを特徴とする請求項１に記載のデータ入力デバイス。
【請求項１２】
前記スペックルサイズ特性は、前記検出されたスペックルパターンの自己相関特性であることを特徴とする請求項１に記載のデータ入力デバイス。
【請求項１３】
前記コントローラは、前記検出されたスペックルパターンの前記自己相関特性を閾値自己相関特性と比較して、前記デバイスをトラッキングモード又は非トラッキングモードで動作させるように構成されていることを特徴とする請求項１２に記載のデータ入力デバイス。
【請求項１４】
前記コントローラは、少なくとも１方向で前記自己相関特性を決定するように構成されていることを特徴とする請求項１２に記載のデータ入力デバイス。
【請求項１５】
前記コヒーレント光源及び前記検出器に関連するハウジングを更に備え、前記ハウジングは、前記トラッキング面と係合するように適合された支持面を備えていることを特徴とする請求項１に記載のデータ入力デバイス。
【請求項１６】
前記コヒーレント光源及び前記検出器は、マイクロチップ、プリント回路板（ＰＣＢ）、及びリードフレームのうちの少なくとも１つ上に互いに隣接して実装されていることを特徴とする請求項１に記載のデータ入力デバイス。
【請求項１７】
前記コヒーレント光源は、レーザあることを特徴とする請求項１に記載のデータ入力デバイス。
【請求項１８】
前記コヒーレント光ビームの角度は、約７９０ミリラジアン（４５°）未満であることを特徴とする請求項１７に記載のデータ入力デバイス。
【請求項１９】
前記角度は、約１７０ミリラジアン（１０°）未満であることを特徴とする請求項１８に記載のデータ入力デバイス。
【請求項２０】
前記角度は、約８７ミリラジアン（５°）未満であることを特徴とする請求項１９に記載のデータ入力デバイス。
【請求項２１】
前記コヒーレント光源は、動作中に電流約２０ミリアンペア未満を消費することを特徴とする請求項１に記載のデータ入力デバイス。
【請求項２２】
前記コヒーレント光ビームを前記コヒーレント光源と前記トラッキング面の間で屈折させる光学系を更に備えていることを特徴とする請求項１に記載のデータ入力デバイス。
【請求項２３】
前記トラッキング面は、人の皮膚であることを特徴とする請求項１に記載のデータ入力デバイス。
【請求項２４】
前記コントローラは、プロセッサ及び特定用途向け集積回路（ＡＳＩＣ）のうちの少なくとも１つであることを特徴とする請求項１に記載のデータ入力デバイス。
【請求項２５】
コヒーレント光ビームをデータ入力デバイスから光散乱特性を有するトラッキング面上に投射し、該トラッキング面は、前記コヒーレント光ビームを散乱するステップと、
前記トラッキング面によって散乱した光の少なくとも一部を検出し、前記検出された部分はスペックルパターンを有するステップと、
前記スペックルパターンのスペックルサイズ特性の関数としての少なくとも１つの上昇検出距離によって、前記デバイスが前記トラッキング面から空間的に離れたか否かを決定するステップと、
前記デバイスが少なくとも上昇検出距離だけ前記トラッキング面から空間的に離れた場合は、前記デバイスと前記トラッキング面の間の相対的移動のトラッキングを一時停止し、又は前記デバイスが前記上昇検出距離未満しか前記トラッキング面から空間的に離れていない場合は、前記デバイスと前記トラッキング面の間の相対的移動のトラッキングを維持するステップと
を有することを特徴とする方法。
【請求項２６】
前記決定するステップは、前記検出されたスペックルパターンのコントラスト特性を決定することを特徴とする請求項２５に記載の方法。
【請求項２７】
更に前記検出されたスペックルパターンの前記コントラスト特性と閾値コントラスト特性とを比較することを特徴とする請求項２６に記載の方法。
【請求項２８】
更に前記検出されたスペックルパターンの前記コントラスト特性と以前に検出されたスペックルパターンの以前のコントラスト特性とを比較することを特徴とする請求項２６に記載の方法。
【請求項２９】
前記決定するステップは、前記検出されたスペックルパターン中の画像強度の変化の数を決定することを特徴とする請求項２５に記載の方法。
【請求項３０】
前記決定するステップは、前記検出されたスペックルパターンの空間周波数解析を実施して前記スペックルサイズ特性を決定することを特徴とする請求項２５に記載の方法。
【請求項３１】
前記実施は、高速フーリエ変換（ＦＦＴ）解析の実施をすることを特徴とする請求項３０に記載の方法。
【請求項３２】
前記決定するステップは、前記検出されたスペックルパターンの少なくとも１つのスペックル粒子の幅の測定、及び前記少なくとも１つのスペックル粒子の前記幅の変化の監視をすることを特徴とする請求項２５に記載の方法。
【請求項３３】
前記決定するステップは、前記検出されたスペックルパターンの自己相関特性を決定することを特徴とする請求項２５に記載の方法。
【請求項３４】
前記上昇検出距離は、約１０ミリメートル（０．３９インチ）以下であることを特徴とする請求項２５に記載の方法。
【請求項３５】
前記上昇検出距離は、約４ミリメートル（０．１６インチ）以下であることを特徴とする請項３４に記載の方法。
【請求項３６】
前記上昇検出距離は、少なくとも約１ミリメートル（０．０４インチ）であることを特徴とする請求項３５に記載の方法。
【請求項３７】
データ入力デバイスに対して光散乱特性を有するトラッキング面で使用するためのデータ入力デバイスであって、
コヒーレント光ビームを、前記トラッキング面に当たる前記コヒーレント光ビームを散乱させる前記トラッキング面上に投射するコヒーレント光源と、
前記コヒーレント光源に関連し、検出された部分がスペックルパターンである前記散乱光の少なくとも一部を検出する検出器と、
前記検出されたスペックルパターンに応答し、コントローラによって決定された前記検出されたスペックルパターンのスペックルサイズ特性に応じて前記デバイスと前記トラッキング面の間の距離を決定するように構成されたコントローラと
を備えたことを特徴とするデータ入力デバイス。
【請求項３８】
前記コヒーレント光源及び前記検出器のためのハウジングを更に備え、前記ハウジングは、前記トラッキング面と係合するように適合された支持面を備えていることを特徴とする請求項３７に記載のデータ入力デバイス。
【請求項３９】
前記スペックルサイズ特性は、前記ハウジングと前記トラッキング面の間の距離に関連していることを特徴とする請求項３７に記載のデータ入力デバイス。